【手続補正書】
【提出日】平成18年4月7日(2006.4.7)
【手続補正１】
【補正対象書類名】明細書
【補正対象項目名】発明の名称
【補正方法】変更
【補正の内容】
【発明の名称】作業管理プログラム及び作業管理システム
【手続補正２】
【補正対象書類名】明細書
【補正対象項目名】特許請求の範囲
【補正方法】変更
【補正の内容】
【特許請求の範囲】
【請求項１】コンピュータに、作業対象であるジョブに設定された作業を管理する機能を実現させる作業管理プログラムであって、
前記作業の作業名と作業状態とを含む作業情報を記憶する作業情報記憶機能と、
前記作業状態を、予定、エントリー、完了のいずれか１つの作業状態区分に区分する区分機能と、
前記区分機能によって区分された前記作業状態区分が予定又は完了の作業情報であって且つ予め定めた条件を満たす作業情報と、前記作業状態区分がエントリーの作業情報とを選択する選択機能と、
前記選択された作業情報を取得する取得機能と、
前記取得した作業情報を表示する表示機能とをコンピュータに実現させることを特徴とする作業管理プログラム。
【請求項２】前記作業情報は、作業名、作業状態、エントリー計画日付、完了実績日付とを含むことを特徴とする請求項１記載の作業管理プログラム。
【請求項３】予定範囲日数及び完了範囲日数を記憶する範囲日数記憶機能と現在日付を記憶する現在日記憶機能とをコンピュータに実現させ、前記選択機能において予め定めた条件が、作業状態区分が予定である作業情報については式１を満たすことであり、作業状態区分が完了である作業情報については式２を満たすことであることを特徴とする請求項２記載の作業管理プログラム。
（式１）エントリー計画日付≦現在日付＋予定範囲日数
（式２）完了実績日付≧現在日付−完了範囲日数
【請求項４】予定範囲日数及び完了範囲日数を記憶する範囲日数記憶機能と現在日付を記憶する現在日記憶機能とをコンピュータに実現させ、前記選択機能において予め定めた条件が、作業状態区分が予定である作業情報については式３を満たすことであり、作業状態区分が完了である作業情報については式４を満たすことであることを特徴とする請求項２記載の作業管理プログラム。
（式３）エントリー計画日付＜現在日付＋予定範囲日数
（式４）完了実績日付＞現在日付−完了範囲日数
【請求項５】予定範囲日数及び完了範囲日数を記憶する範囲日数記憶機能と現在日時を記憶する現在日記憶機能とをコンピュータに実現させ、前記選択機能において予め定めた条件が、作業状態区分が予定である作業情報については式５を満たすことであり、作業状態区分が完了である作業情報については式６を満たすことであることを特徴とする請求項２記載の作業管理プログラム。
（式５）エントリー計画日時≦現在日時＋予定範囲日数
（式６）完了実績日時≧現在日時−完了範囲日数
【請求項６】予定範囲日数及び完了範囲日数を記憶する範囲日数記憶機能と現在日時を記憶する現在日記憶機能とをコンピュータに実現させ、前記選択機能において予め定めた条件が、作業状態区分が予定である作業情報については式７を満たすことであり、作業状態区分が完了である作業情報については式８を満たすことであることを特徴とする請求項２記載の作業管理プログラム。
（式７）エントリー計画日時＜現在日時＋予定範囲日数
（式８）完了実績日時＞現在日時−完了範囲日数
【請求項７】前記作業状態は、予約、未着手、開始、中断、終了、確定を含み、未着手であり且つ着手不可の作業の作業状態を予約とし、未着手であり且つ着手可の作業の作業状態を未着手とし、作業中の作業の作業状態を開始とし、作業中断された作業の作業状態を中断とし、作業終了され且つ再開可能の作業の作業状態を終了とし、作業終了され且つ再開不可の作業の作業状態を確定とすることを特徴とする請求項１〜６の何れかに記載の作業管理プログラム。
【請求項８】前記区分機能は、作業状態が予約の作業情報を予定の作業状態区分に区分し、作業状態が未着手、開始、中断、終了の作業情報をエントリーの作業状態区分に区分し、作業状態が確定の作業情報を完了の作業状態区分に区分することを特徴とする請求項１〜７の何れかに記載の作業管理プログラム。
【請求項９】前記表示機能において表示する作業情報を更新する指示を受け付ける更新機能をコンピュータに実現させ、該更新機能で更新する指示を受け付けた場合に前記選択機能における選択、該選択に基づく取得手段における取得、該取得に基づく表示機能における表示を行うことを特徴とする請求項１〜８の何れかに記載の作業管理プログラム。
【請求項１０】作業対象であるジョブに設定された作業を管理する手段を有する作業管理システムであって、
前記作業の作業名と作業状態とを含む作業情報を記憶する作業情報記憶手段と、
前記作業状態を、予定、エントリー、完了のいずれか１つの作業状態区分に区分する区分手段と、
前記区分機能によって区分された前記作業状態区分が予定又は完了の作業情報であって且つ予め定めた条件を満たす作業情報と、前記作業状態区分がエントリーの作業情報を選択する選択手段と、
前記選択された作業情報を取得する取得手段と、
前記取得した作業情報を表示する表示手段とを有することを特徴とする作業管理システム。
【手続補正３】
【補正対象書類名】明細書
【補正対象項目名】０００１
【補正方法】変更
【補正の内容】
【０００１】
【発明の属する技術分野】
本発明は、作業管理プログラム及び作業管理システムに関し、詳しくは作業の進行状況を管理することができる作業管理プログラム及び作業管理システムに関する。
【手続補正４】
【補正対象書類名】明細書
【補正対象項目名】０００７
【補正方法】変更
【補正の内容】
【０００７】
【発明が解決しようとする課題】
本発明の課題は、利用性の高い作業情報を効率的に参照可能とした作業管理プログラム及び作業管理システムを提供することにある。
【手続補正５】
【補正対象書類名】明細書
【補正対象項目名】００２８
【補正方法】変更
【補正の内容】
【００２８】
前記作業情報は、作業名、作業状態、エントリー計画日付、完了実績日付とを含むことが好ましい。
【手続補正６】
【補正対象書類名】明細書
【補正対象項目名】００２９
【補正方法】変更
【補正の内容】
【００２９】
また、予定範囲日数及び完了範囲日数を記憶する範囲日数記憶手段と現在日付を記憶する現在日記憶手段とを有し、前記選択手段において予め定めた条件が、作業状態区分が予定である作業情報については式１を満たすことであり、作業状態区分が完了である作業情報については式２を満たすことであることが好ましい。
【手続補正７】
【補正対象書類名】明細書
【補正対象項目名】００３２
【補正方法】変更
【補正の内容】
【００３２】
さらに、予定範囲日数及び完了範囲日数を記憶する範囲日数記憶手段と現在日付を記憶する現在日記憶手段とを有し、前記選択手段において予め定めた条件が、作業状態区分が予定である作業情報については式３を満たすことであり、作業状態区分が完了である作業情報については式４を満たすことであることが好ましい。
【手続補正８】
【補正対象書類名】明細書
【補正対象項目名】００３５
【補正方法】変更
【補正の内容】
【００３５】
さらにまた、予定範囲日数及び完了範囲日数を記憶する範囲日数記憶手段と現在日時を記憶する現在日記憶手段とを有し、前記選択手段において予め定めた条件が、作業状態区分が予定である作業情報については式５を満たすことであり、作業状態区分が完了である作業情報については式６を満たすことであることが好ましい。
【手続補正９】
【補正対象書類名】明細書
【補正対象項目名】００３８
【補正方法】変更
【補正の内容】
【００３８】
また、予定範囲日数及び完了範囲日数を記憶する範囲日数記憶手段と現在日時を記憶する現在日記憶手段とを有し、前記選択手段において予め定めた条件が、作業状態区分が予定である作業情報については式７を満たすことであり、作業状態区分が完了である作業情報については式８を満たすことであることが好ましい。
【手続補正１０】
【補正対象書類名】明細書
【補正対象項目名】００４１
【補正方法】変更
【補正の内容】
【００４１】
さらに、前記作業状態は、予約、未着手、開始、中断、終了、確定を含み、未着手であり且つ着手不可の作業の作業状態を予約とし、未着手であり且つ着手可の作業の作業状態を未着手とし、作業中の作業の作業状態を開始とし、作業中断された作業の作業状態を中断とし、作業終了され且つ再開可能の作業の作業状態を終了とし、作業終了され且つ再開不可の作業の作業状態を確定とすることが好ましい。
【手続補正１１】
【補正対象書類名】明細書
【補正対象項目名】００４２
【補正方法】変更
【補正の内容】
【００４２】
さらにまた、前記区分手段は、作業状態が予約の作業情報を予定の作業状態区分に区分し、作業状態が未着手、開始、中断、終了の作業情報をエントリーの作業状態区分に区分し、作業状態が確定の作業情報を完了の作業状態区分に区分することが好ましい。
【手続補正１２】
【補正対象書類名】明細書
【補正対象項目名】００４３
【補正方法】変更
【補正の内容】
【００４３】
また、前記表示手段において表示する作業情報を更新する指示を受け付ける更新手段を有し、該更新手段で更新する指示を受け付けた場合に前記選択手段における選択、該選択に基づく取得手段における取得、該取得に基づく表示手段における表示を行うことが好ましい。
【手続補正１３】
【補正対象書類名】明細書
【補正対象項目名】００４４
【補正方法】変更
【補正の内容】
【００４４】
上記課題を解決する本発明は、請求項１乃至請求項９の何れかに記載のプログラムを記録したコンピュータ読取り可能な記録媒体である。